(57)【特許請求の範囲】
【請求項１】
接近する方向に相互に移動できるフックを備えた着脱側コネクタと端子配置領域外側の端子コンタクト側突出位置に上記各フックと嵌合するロック手段が備えられた固定側コネクタとからなるコネクタであって、ロック機構を備え、
該ロック機構が、一端には着脱側コネクタを装着するコネクタカバーへの固着手段が設けられ他端には上記フックが形成された長片状の２個のロック板と、長片からなるコ字形で先端のそれぞれには幅方向と厚さ方向とに突出する突起が形成され且つ該各先端近傍には上記ロック板の幅を越える幅で長手方向に沿う長孔が形成されている１個の引抜き部材とを、該各ロック板のフック側先端領域が該引抜き部材の各先端を外側から囲むように該引抜き部材の内側から上記長孔に貫挿させてなり、
該各ロック板をフックと上記ロック手段が嵌合する位置で上記コネクタカバーに固着させた状態で、上記引抜き部材を該コネクタカバーに設けた溝をガイドとして着脱側コネクタの引抜き方向に引っ張ったときに、該ロック板の上記各フックが開離する方向に変位し得るように構成され、
上記コネクタカバーが、該引抜き部材の引抜き方向への移動量を規制し得る手段を備えていることを特徴とするコネクタ。
【請求項２】
請求項１記載の着脱側コネクタが固定側コネクタであり、固定側コネクタが着脱側コネクタであることを特徴とするコネクタ。
【請求項３】
請求項１記載のロック手段が、
着脱側コネクタのコネクタカバーに固着したロック板の他端に形成したＬ形のフックと、該固定側コネクタの該フック対応位置に形成したロック溝とからなることを特徴とするコネクタ。
【請求項４】
請求項１記載のロック板のコネクタカバーへの固着手段が、
ロック板端部のＬ形に曲げられた固着片の、該ロック板を固着するカバーに形成した該ロック板の固着片を含む端部近傍領域に対応するＬ形溝への挿入でなることを特徴とするコネクタ。
【請求項５】
請求項１記載のコネクタカバーに設ける引抜き部材の移動量を規制する手段が、
該コネクタカバーの内部に形成され、該引抜き部材の前記突起が当接する壁部材であることを特徴とするコネクタ。
【請求項６】
請求項１記載のコネクタカバーに設ける引抜き部材の移動量を規制する手段が、
該引抜き部材の前記突起が係合し、該引抜き部材の所要の移動量が確保し得る長さでコネクタカバーの該突起対応領域に穿孔された角孔であることを特徴とするコネクタ。
【発明の詳細な説明】
【０００１】
【発明の属する技術分野】
本発明はロック機能を備えたコネクタの構成に係り、特に隣接するコネクタ間に指が入らない程度に回路基板等に高密度実装したときでも相手側コネクタに対する接続とロック及びその解除を容易化してコネクタ接続作業の効率化による生産性向上を図ったコネクタに関する。
【０００２】
近年の電子装置分野では電子装置としての小型化や低価格化等の要求に対応させるため回路基板上に多くの電子デバイスを実装するようになっているが、その結果電子デバイス間や外部装置との接続等に使用されるコネクタも回路基板等に高密度に実装されることが多い。
【０００３】
そして最近では、隣接するコネクタ等電子デバイスとの間が指が入らない程度に狭くなる場合が多くなっていることから、かかる高密度実装時にも相手側コネクタに対してロック状態で確実に接続し得ると共に該ロックの解除と接続の解除とが共に容易に行えるコネクタの実現が強く望まれている。
【０００４】
【従来の技術】
図15は従来のコネクタ構成をロック機構を含めて例示説明する図であり、 (15-1) はコネクタ構成を示し (15-2) はロック機構部を、また (15-3) はロック時の状態を示した図である。
【０００５】
また図16は問題点を説明する図である。
図15の(15-1)と(15-2)で、コネクタ１は固定側のジャックコネクタ11とケーブル側のプラグコネクタ12とからなる。
【０００６】
この内ジャックコネクタ11は、複数のジャック端子112 が整列して植設されたジャックコネクタ本体111 と該コネクタ本体111 をジャック端子112 の配置域周面で固定した上で回路基板等に装着できるように形成されてなる筐体113 とからなるものであり、該筐体113 の上記プラグコネクタ12との嵌合部 113a の長手方向両端面には該プラグコネクタ12に対するロックを実現するための孔 113b が形成されている。
【０００７】
一方プラグコネクタ12は、上記ジャックコネクタ本体111 の各ジャック端子112 と対応するそれぞれの位置に該ジャック端子112 に接続し得るプラグ端子122 が形成されてなるプラグコネクタ本体121 と該コネクタ本体121 を所定位置で固定して収容するカバー13とからなるものである。
【０００８】
そしてこの場合の該カバー13には、上述した筐体113 の上記孔 113b と対応するそれぞれの位置に、一端が上記ジャックコネクタ11との接続時に上記孔 112b と係合してロックし得るフック 123a で他端を押圧作用部 123b とするロック片123 が該押圧作用部 123b を該カバー13から露出させた状態で装着されている。
【０００９】
なお、該ロック片123 には上記フック 123a を常時上記孔 113b の方向に付勢させておくための切り起し片 123c が形成されていると共に、図の124 は該ロック片123 を保持しておくための軸である。
【００１０】
このことは、該ロック片123 の上述した押圧作用部 123b を矢印a1の如く二本の指で押圧すると上記軸124 で該ロック片123 が回動することから２個のフック 123a が矢印a2のように開離させられると共に、該押圧を解除したときには上記切り起し片 123c によって初期状態に戻ることを示している。
【００１１】
そこで、把持したプラグコネクタ12をジャックコネクタ11に接続させると、先ずロック片123 のフック 123a がジャックコネクタ筐体の嵌合部 113a との当接で開離するが、そのまま該プラグコネクタ12を挿入して接続させることで、(15-3)に示す状態にすることができる。
【００１２】
一方該プラグコネクタ12のジャックコネクタ11からの取り外しによる接続の解除は、上記ロック片123 の押圧作用部 123b を二本の指先で矢印 a1 のように押圧して２個の該フック 123a を開離させたままジャックコネクタ11から引き抜くことで容易に実現することができる。
【００１３】
かかるロック機構を備えたコネクタでは、ロック機構が簡単な構成で実現し得るメリットがある。
【００１４】
【発明が解決しようとする課題】
しかし上述したロック片装着方向の近接した位置に他のコネクタ等電子デバイスがあると、該ロック片123 の押圧操作ができなくなることがある。
【００１５】
図16はこのときの状態を示したものである。
すなわち図で、回路基板２には図15で説明したコネクタ１が整列した状態で実装されているが、隣接するコネクタ間のピッチｐひいてはコネクタ間の隙間p1が小さいので指Ａが入り込めず、結果的にジャックコネクタ11に対するプラグコネクタ12のロックの解除と接続の解除とを行うことができない。
【００１６】
従って、従来の構成になるコネクタでは、ロック片装着方向の近接位置にコネクタ等他の電子デバイスが搭載されていると、コネクタとしてのロックの解除と接続の解除とが行えないことがあると言う問題があった。
【００１７】
【課題を解決するための手段】
上記課題は、接近する方向に移動できるフックを備えた着脱側コネクタと端子配置領域外側の端子コンタクト側突出位置に上記各フックと嵌合するロック手段が備えられた固定側コネクタとからなるコネクタであって、ロック機構を備え、該ロック機構が、一端には着脱側コネクタを装着するコネクタカバーへの固着手段が設けられ他端には上記フックが形成された長片状の２個のロック板と、長片からなるコ字形で先端のそれぞれには幅方向と厚さ方向とに突出する突起が形成され且つ該各先端近傍には上記ロック板の幅を越える幅で長手方向に沿う長孔が形成されている１個の引抜き部材とを、該各ロック板のフック側先端領域が該引抜き部材の各先端を外側から囲むように該引抜き部材の内側から上記長孔に貫挿させてなり、該各ロック板をフックと上記ロック手段が嵌合する位置で上記コネクタカバーに固着させた状態で、上記引抜き部材を該コネクタカバーに設けた溝をガイドとして着脱側コネクタの引抜き方向に引っ張ったときに、該ロック板の上記各フックが開離する方向に変位し得るように構成され、上記コネクタカバーが、該引抜き部材の引抜き方向への移動量を規制し得る手段を備えているコネクタによって解決される。
【００１８】
また、上記の着脱側コネクタが固定側コネクタであり、固定側コネクタが着脱側コネクタであるコネクタによって解決される。
コネクタを実装する回路基板面と直交する方向への引抜き動作でロックが解除できるようにコネクタを構成すると隣接するコネクタ等電子デバイスとの間に指を入れる必要をなくすことができるので、回路基板への実装密度を更に上げることができる。
【００１９】
そこで本発明では、両端がフックと押圧作用部とに形成されて着脱側コネクタのカバーに装着される２個のロック片からなるロック機構を備えた従来のコネクタを、一端がフックに形成され他端で着脱側コネクタのカバーに固定される２個のロック部材と該カバーに装着した状態でのコネクタ引抜き方向への引っ張りで上記２個のロック部材のフック間が開離させられるように形成された１個の引抜き部材とからなるロック機構を備えてコネクタを構成するようにしている。
【００２０】
かかるコネクタでは、上記引抜き部材をコネクタ引抜き方向へ引っ張るだけで固定側コネクタに対するロックが解除されると同時に着脱側コネクタを固定側コネクタから抜き取ることができるので、図15で説明したように隣接するコネクタとの間に指を入れる必要がなくなって高密度に実装した場合でも確実且つ容易に着脱し得るコネクタを実現することができる。
【００２１】
【発明の実施の形態】
図１は本発明に適用するコネクタ本体を例示説明する図であり、図２は本発明に係わるロック機構を説明する図、図３はロック機構の動作と作用を説明する図（その１）、図４はロック機構の動作と作用を説明する図（その２）、図５は図２のロック機構装着側のコネクタカバー(A) を説明する図、図６はコネクタカバー（A)の完成状態を説明する図、図７はコネクタカバー(A) に対応するコネクタカバー(B) を説明する図、図８はコネクタとしての完成状態を外観視して説明する図である。
【００２２】
また、図９は本発明に適用する他のコネクタ本体を例示説明する図、図10は図９のコネクタ本体に適用するロック機構を説明する図、図11は図10のロック機構装着側のコネクタカバー(A) を説明する図、図12はコネクタカバー（A)の完成状態を説明する図、図13はコネクタカバー(C) に対応するコネクタカバー(D) を説明する図、図14はプラグコネクタ完成体を外観視して示した図である。
【００２３】
図１で、コネクタ本体３は固定側コネクタとしてのジャックコネクタ本体31と該ジャックコネクタ本体31に対応する着脱側コネクタとしてのプラグコネクタ本体32とからなる。
【００２４】
この内ジャックコネクタ本体31は、複数のジャック端子311 を貫通した状態で整列して植設した図示されない絶縁体が、ジャック端子植設域周囲を該ジャック端子311 のコンタクト 311a の長さを越える高さで取り囲む周壁 312a と基板取付フランジ 312b とを備えた筐体312 に固定されているものである。
【００２５】
そして該筐体312 の周壁外側の端子整列方向で対応する位置には所要長さのガイドピン313 が基板取付用フランジ 312b から立てられた状態で配設されており、更に該ガイドピン先端近傍の予め設定した位置には周囲を取り巻くロック溝 313a が形成されている。
【００２６】
なお該ジャックコネクタ本体31は、上記基板取付フランジ 312b の四隅でねじ314 によって回路基板316 に取付けられている。
一方プラグコネクタ本体32は、絶縁体321 の上記各ジャック端子311 と対応するそれぞれの位置に該ジャック端子311 と一端のプラグコンタクト 322a で接続するプラグ端子322 が貫通した状態で植設されてなるものであり、該プラグ端子322 の他端にはケーブル326 を構成する信号線 326a が接続されている。
【００２７】
そして該絶縁体321 のプラグコンタクト側のプラグ端子植設域周囲は上記ジャックコネクタ本体31の周壁内面と嵌合するガイド部 321a に形成されていると共に、該ガイド部 321a を除く領域の少なくとも片面の２箇所には該プラグコネクタ本体32を別位置決め突起 321b が形成されている。
【００２８】
なお、上述したジャックコネクタ本体31におけるガイドピン313 は該プラグコネクタ本体32の後述するカバーに装着される本発明に係わるロック機構に係合するものであり、また上記プラグコネクタ本体32における突起 321b は該プラグコネクタ本体32に対する上記カバーの位置決め用のものである。
【００２９】
そこで、上記周壁 312a とガイド部 321a の嵌合で該プラグコネクタ本体32を回路基板316 に固定された上記ジャックコネクタ本体31に矢印 b1 ,b2 のように挿入することで、回路基板側の回路とケーブル326 の各信号線 326a とが接続できるコネクタ本体３を構成することができる。
【００３０】
図２はかかるロック用のガイドピン313 を備えたコネクタ本体３に適用させるロック機構を原理的に示したもので、 (2-1)は構成を示しまた (2-2)は組み立てた状態を示したものである。
【００３１】
すなわち図２の (2-1)でロック機構４は、例えばガラス繊維等を混入させて強靱性を持たせた樹脂等からなる細長片を矢視ｃ方向から見た正面視がコ字形になるように成形した１個の引抜き部材41と、例えば金属の細長板からなり一端がＬ形に曲げられたフック42a で他端が同じ方向にＬ形に曲げられた固着片42b に形成されてなる２個のロック板42とで構成されている。
【００３２】
なお該ロック板42の厚さｔは、図１で説明したジャックコネクタ本体31のガイドピン313 に設けたロック溝 313a の幅ｗより薄く設定されている。
そして上記引抜き部材41の各端部近傍には、該端部域に設けた拡幅部41a に上記ロック板42の幅より僅かに広い幅の長孔41b が長手方向に沿って形成されていると共に、先端には幅方向両側と厚さ方向両面側とに突出する突起 41c-1,41c-2が形成されており、更に上記長孔41b の形成域には上記各先端が接近する方向に緩やかなオフセット曲げ領域41d が形成されている。
【００３３】
またロック板42には、長手方向途中の所定領域に上記固着片42b が上記フック42a の先端側に位置し得るような緩やかなオフセット曲げ領域42c が形成されている。
【００３４】
そこで、２個の該各ロック板42を先端側から矢印 d1, d2 のように上記引抜き部材41の各長孔41b に挿入すると、 (2-2)で示す如くロック板42のフック側先端域が該引抜き部材41を乗り越えた状態にすることができる。
【００３５】
なお上記ロック板42の固着片42b をフック42a と同じ方向のＬ形に形成することは、該ロック板固定側に予め形成するＬ形溝への挿入のみで該ロック板42が固着し得ることから、特別な工数やねじ等を使用することなく容易に固着し得るメリットがある。
【００３６】
以下、図１で説明したジャックコネクタ本体31に図２で説明したロック機構４を組み合わせたときの該ロック機構４の動作と作用を、接続時の状態を一部抽出して示した図３と接続解除時の状態を一部を抽出して示した図４とで順を追って説明する。
【００３７】
なお図では、いずれも図２で説明したロック板42が固着片42b の領域で後述するカバー51にＡの如く固定され、また該ロック板42に対して矢印ｅ方向に前後進し得る引抜き部材41の各突起 41c-1,41c-2  それぞれと対応する該カバー51の所定位置には該各突起 41c-1,41c-2  が当接し得る壁Ｂが形成されているものとする。
【００３８】
図３で (3-1)は接続前の状態を示し、 (3-2)は接続途中の状態を、また (3-3)は接続後のロック状態を示している。
図の (3-1)で、31は図１で説明したジャックコネクタ本体を示し、また４は図２で説明したロック機構を側面視して示しているが、該ロック機構４を構成するロック板42はそのフック42a の先端 42a′が上記ジャックコネクタ本体31のガイドピン313 の中心軸より僅かに後退して位置するように固着片42b の領域でＡに示す如く上記カバー51に固定されている。
【００３９】
そこで該ロック機構４が装着されたカバー51を矢印ｆの方向に移動させると、ジャックコネクタ本体31のガイドピン313 の先端が先ず上記ロック板42のフック先端 42a′と接触するので (3-2)で示すようになるが、円内拡大図(a) はそのときの状態を拡大視したものである。
【００４０】
更に続く上記カバー51のｆ方向への移動で、上記フック42a の先端 42a′が上記ガイドピン313 のロック溝 313a に落ち込んで (3-3)に示すロック状態になるが、円内拡大図(b) はそのときの状態を拡大視したものである。
【００４１】
一方該ロック状態を解除して上記カバー51をジャックコネクタ本体31から抜き取る状態を示す図４で、 (4-1)は図３の (3-3)同様のロック状態を示し (4-2)はロックの解除状態を示し、また (4-3)はカバー51を抜き取った状態を示し更に (4-4)は図３の (3-1)と同じ初期状態を示したものである。
【００４２】
すなわち図の (4-1)で、ロック機構４を構成する引抜き部材41を矢印e1方向に引っ張ると、カバー51に固定されているロック板42に対して該引抜き部材41のみが上記e1方向に移動するが、該ロック板42が引抜き部材41の長孔41b を貫挿しているので該長孔41b の先端側端辺 41b′が該ロック板42のオフセット曲げ領域42c を押し上げることとなり、該ロック板42のフック42a が上述したガイドピン313 のロック溝 313a から外れてロック状態が解除される。
【００４３】
そして更に続く上記引抜き部材41のe1方向への移動で、該引抜き部材先端に形成した前記突起 41cがカバー51に形成されている壁面Ｂと当接して (4-2)に示す状態となる。
【００４４】
更に上記引抜き部材41のe1方向への引っ張りを続けて行うと、該引抜き部材先端の前記突起 41cによってカバー51自体がe1方向へ引っ張られるのでカバー51がジャックコネクタ本体31から外れて (4-3)に示す状態となり、結果的にロック機構４が内設されたカバー51をジャックコネクタ本体31から抜き取ることができるので、上記ロック板42の弾性力によって引抜き部材41ひいてはカバー51が元の位置に戻って (4-4)すなわち (3-1)で示す初期状態に戻すことができる。
【００４５】
このことは、回路基板316 に固定されたジャックコネクタ本体31にロックしたカバー51の取り外しが上記引抜き部材41の連結域における引っ張りだけで実現できるので、隣接して位置するコネクタ等電子デバイスとの間に指を入れる必要がなくせることを意味している。
【００４６】
従って回路基板に高密度に搭載されたコネクタが確実且つ容易に抜き取れるコネクタを構成することができる。
図５は図１で説明したコネクタ本体３に図２のロック機構４を適用させたコネクタのプラグコネクタ本体側のコネクタカバー(A) “以下文中では単にカバー(A) とする”の一例を示したものである。
【００４７】
すなわち図５で、平面視サイズが図１で説明したプラグコネクタ本体32を突起 321b 形成面側で余裕を持って乗置し得る大きさを有する樹脂材からなるカバー(A) 51は、一端辺側には図１のジャックコネクタ本体31の周壁 312a を周囲で取り囲めるトンネル状の枠51a が形成され、対向辺側には図１のケーブル326 を導出するための半円状のケーブル導出口51b が形成されてなるものであり、上記枠51a と該ケーブル導出口51b とを除く領域は図２で説明した引抜き部材41の拡幅部41a の幅を越える厚さの周壁51c で囲まれた有底箱状に形成されている。
【００４８】
そして該周壁51c のケーブル導出口側の端部近傍両側には、図２の各ロック板42をフック先端が上記枠51a の方向で対面するように挿入したときに該ロック板42が固着片42b を含む近傍でのみ固着し得る溝51d が該ロック板の厚さを僅かに越える深さで形成されていると共に、該各溝51d それぞれの外側には上記引抜き部材41の突起41c が上記ロック板42のフック近傍に位置するように該引抜き部材41が平面視状態で挿入し得る溝51e が拡幅部を除く幅を僅かに越える深さでケーブル導出側端面まで形成されており、更に上記溝51d と該溝51e 間の隔壁51f は上記ロック板42の固着領域を越える位置で消滅するようになっている。
【００４９】
そして２個の溝51e 間のピッチｌは、上記引抜き部材41の連結片長さｌと等しくなっている。
また、該隔壁51f の消滅で広くなった領域の上記フック近傍と対応する所定領域には少なくとも幅h1が上記引抜き部材41の突起長さｊより僅かに大きく且つ上記溝方向に該引抜き部材41の上記拡幅部長手方向に長い角孔51g が上記引抜き部材41における端面間ピッチと等しい間隔で穿孔されていると共に、上述した枠51a 側の周壁51c には上記ジャックコネクタ本体31の各ガイドピン313 と対応するそれぞれの位置に該ガイドピン313 が余裕をもって貫通し得る貫通孔51h が穿孔されている。
【００５０】
なお図の51i は、図１で説明したプラグコネクタ本体32に形成されている位置決め用き突起 321b に対応する位置決め用の凹孔である。
そこで、図１で説明したプラグコネクタ本体32をその突起 321b と上記カバー(A) 底面の対応位置に形成した凹穴51i との嵌合で位置決めして載置すると共に、該カバー(A) の溝51d に上記ロック機構４のロック板42を挿入して固着し、更に該ロック機構４の引抜き部材41をその突起41c を上記角穴51g に入れ込んだ状態で上記溝51f に挿入することで、コネクタカバー（A) 51 にケーブル326 付のプラグコネクタ本体32を装着した完成状態を図６で示すように構成することができる。
【００５１】
一方、上述したカバー(A) 51と対応するカバー(B) 52は図７に示す如く、平面視サイズがほぼ上記カバー(A) 51から枠51a を取り除いた大きさの樹脂材からなるものであり、該カバー(A) 51のケーブル導出口51b と対応する領域にはケーブル導出口52a が形成されていると共に、該ケーブル導出口52a と前記枠51a 対応領域とを除く領域は底面から僅かに高い周壁52b に形成されている。
【００５２】
そして、該カバー(B) 52を図示されない位置決め手段で上記カバー(A) 51と合致せしめたときの該カバー(A) 51の各角孔51g と対応するそれぞれの位置には該角孔51g と同じ大きさの角孔52c が形成されている。
【００５３】
そこで、該カバー(B) 52を周壁52b が上記カバー(A) 51の周壁51c と対応するように図示されない位置決め手段で位置決めした上で両者を例えばねじ53で固定することで、図２で説明したロック機構４を備えたプラグコネクタ完成体５を図８に示すように構成することができる。
【００５４】
なお該プラグコネクタ完成体５におけるケーブル326 は、上記引抜き部材41の連結材領域がカバー(A) 51とカバー(B) 52の各ケーブル導出口側端面から離れて位置しているので、上記連結材領域と接触しないように撓ませてある。
【００５５】
かかるプラグコネクタ完成体５では、ロック機構４を構成する引抜き部材41の各突起41c がカバー(A) 51の角孔51g とカバー(B) 52の角孔52c とに挿入されているので、該各突起41c ひいては引抜き部材41の該カバーに対する移動距離が該角孔51g,52c の長さによって制約されることになるので、該角孔の長手方向壁面を図３の壁Ｂに対応させた上で該引抜き部材41を図４の e1 方向に引っ張ることで図３と図４で説明した動作と作用を実現することができる。
【００５６】
なお上記角孔51g や52c を各コネクタカバー(A) ,(B)の表面まで貫通して穿孔することで、各コネクタカバー(A) ,(B)の内部に特別な壁面を形成する必要がなくせると共に、該角孔中に位置する引抜き部材41の突起41c の位置が外部から目視し得るメリットがある。
【００５７】
他方、上述したコネクタ本体３ではガイドピン313 が端子整列方向で対応して位置しているが、最近ではコネクタ本体としての小型化が進展しているため回路基板への取付けを四隅にすることができない場合がある。
【００５８】
図９はかかるコネクタ本体を示したものである。
すなわち図９で、コネクタ本体６は固定側のジャックコネクタ本体61と図１で説明した着脱側のプラグコネクタ本体32とからなる。
【００５９】
この内ジャックコネクタ本体61は、図１で説明したジャックコネクタ本体31におけるガイドピン313 のみを一方の対角線上に斜め配置した611 に代えたものであり、その他の構成は上記ジャックコネクタ本体31と同じものである。
【００６０】
そこで、該ジャックコネクタ本体61の前述した周壁 312a とプラグコネクタ本体32のガイド部 321a との嵌合で該プラグコネクタ本体32を回路基板316 に固定された上記ジャックコネクタ本体61に図１と同様に矢印 b1 ,b2 の如く挿入することで、回路基板側の回路とケーブル326 の各信号線 326a とが接続できるコネクタ本体６が構成できることは図１の場合と同様である。
【００６１】
図10はかかるロック用のガイドピン611 を備えたコネクタ本体６に適用させるロック機構の構成を示したものである。
すなわち図10で、ロック機構７は、本発明に係わる１個の引抜き部材71と２個の前述したロック板42とで構成されている。
【００６２】
そして、特にこの場合の該引抜き部材71は図２で説明した引抜き部材41の連結部領域のみが上記ジャックコネクタ本体61における各ガイドピン611 の端子行方向の位置ずれ量ｑに対応する量だけ該連結部幅方向にずれた状態で形成されているものであり、その他の構成は上記引抜き部材41と同様である。
【００６３】
そこで、２個の該各ロック板42を図１の場合と同様に先端側から矢印 d1, d2 の如く上記引抜き部材71の各長孔41b に挿入することで、上記ロック板42のフック側先端域が該引抜き部材71を乗り越えた状態にすることができて、上記ジャックコネクタ本体61に適用できるロック機構７を(10-2)に示すように構成することができる。
【００６４】
かかるロック機構７では、引抜き部材71の各先端域におけるロック板42との相対的位置関係が図３及び図４の場合と等しいので、該図３及び図４で説明した動作と作用を得ることができる。
【００６５】
図11は図９で説明したコネクタ本体６に図10のロック機構７を適用させたコネクタのプラグコネクタ本体側のコネクタカバー(C) 81“以下文中では単にカバー(C) 81とする”の一例を示したものである。
【００６６】
すなわち図11でこの場合の該カバー(C) 81は、図５で説明したカバー(A) 51における周壁51c を上記ジャックコネクタ本体61の各ガイドピン611 の位置に対応して高さを異ならせた周壁 81a-1と 81a-2とに変えると共に、該カバー(A) 51における貫通孔51h を該貫通孔径で形成されたＵ溝 81b-1と 81b-2とに変えた上で、上記カバー(A) 51における溝51d , 51e を該各周壁表面を基準として図５同様に形成し、更にカバー(A) 51の角孔51g と同じ大きさの角孔81c を該各角孔51g と同じ位置に貫通させて形成したものである。
【００６７】
従って該カバー(C) 81に、上記のロック機構７とプラグコネクタ本体32とを図５で説明したように装着することで、平面視が図６同様のプラグコネクタ完成体８を図12のように構成することができる。
【００６８】
一方、上述したカバー(C) 81と対応するカバー(D) 82は図13に示す如く、平面視サイズがほぼ上記カバー(C) 81と同じで該カバー(C) 81から枠51a を取り除いた大きさの樹脂材からなるものであり、カバー(A) 51のケーブル導出口51b と対応する領域には前記ケーブル導出口51b に対応するケーブル導出口82a が形成されていると共に、該ケーブル導出口82a と前記枠51a 対応領域とを除く領域は上記カバー(C) 81の各周壁 81a-1,  81a-2の高さの差で逆に対応する高さの周壁 82b-1,  82b-2に形成されている。
【００６９】
そして、更にカバー(B) 52の角孔52c と同じ大きさの角孔82c が該各角孔52c と同じ位置に貫通させて形成している。
そこで、該カバー(D) 82を図示されない位置決め手段で上記カバー(C) 81と合致せしめることで、該カバー(D) 82の角孔82c と上記カバー(C) 81の角孔81c とを一致させることができる。
【００７０】
そこで、該カバー(D) 82の周壁 82b-1,  82b-2と上記カバー(C) 81の周壁 81a-1,  81a-2とが逆に対応するように該カバー(D) 82とカバー(C) 81を図示されない位置決め手段で位置決めした上で両者を図８のねじ53で固定することで、ロック機構７を備えたプラグコネクタ完成体８を図14に示すように構成することができる。
【００７１】
かかるプラグコネクタ完成体８では、ロック機構７を構成する引抜き部材71の各突起41c がカバー(C) 81の角孔81c とカバー(D) 82の角孔82c とに挿入されているので、該各突起41c すなわち引抜き部材71の該カバーひいては該カバーに装着されたプラグコネクタ本体32に対する移動距離が制約されるので、図３と図４で説明した動作と作用を前記プラグコネクタ完成体５同様に実現することができる。
【００７２】
従って、図９で説明した如くガイドピン611 が片側の対角線上に配置されたジャックコネクタ本体61にも図８で説明したように対応できるコネクタを実現することができる。
【００７３】
【発明の効果】
上述の如く本発明により、隣接するコネクタ間に指が入らない程度に回路基板等に高密度実装したときでも相手側コネクタに対する接続とロック及びその解除が容易化できてコネクタ接続作業の効率化による生産性向が実現できるコネクタを提供することができる。
【００７４】
なお本発明の説明では着脱側コネクタがプラグコネクタである場合を例としているが、該着脱側コネクタがジャックコネクタである場合でも同等の効果が得られることは明らかである。
【００７５】
更に本発明の説明では固定側コネクタのガイドピンにロック溝が設けられている場合を例としているが、例えば該ガイドピンと同じ位置に位置する壁面に該ロック溝に対応する孔が形成されている場合等の如く、前記フックに嵌合する手段を設けても同等の効果を得ることができる。
【図面の簡単な説明】
【図１】  本発明に適用するコネクタ本体を例示説明する図。
【図２】  本発明に係わるロック機構を説明する図。
【図３】  ロック機構の動作と作用を説明する図（その１）。
【図４】  ロック機構の動作と作用を説明する図（その２）。
【図５】  図２のロック機構装着側のコネクタカバー(A) を説明する図。
【図６】  コネクタカバー（A)の完成状態を説明する図。
【図７】  コネクタカバー(A) に対応するコネクタカバー(B) を説明する図。
【図８】  コネクタとしての完成状態を外観視して説明する図。
【図９】  本発明に適用する他のコネクタ本体を例示説明する図。
【図１０】  図９のコネクタ本体に適用するロック機構を説明する図。
【図１１】  図10のロック機構装着側のコネクタカバー(A) を説明する図。
【図１２】  コネクタカバー（A)の完成状態を説明する図。
【図１３】  コネクタカバー(C)に対応するコネクタカバー(D)を説明する図。
【図１４】  プラグコネクタ完成体を外観視して示した図。
【図１５】  従来のコネクタ構成をロック機構を含めて例示説明する図。
【図１６】  問題点を説明する図。
【符号の説明】
3,6       コネクタ本体
４,7      ロック機構
５,8      プラグコネクタ完成体
31        ジャックコネクタ本体
32        プラグコネクタ本体
41        引抜き部材                41a       拡幅部
41b       長孔                      41b ′    先端側端辺
41c, 41c-1,  41c-2    突起
41d       オフセット曲げ領域
42        ロック板                  42′      先端
42a       フック                    42b       固着片
42c       オフセット曲げ領域
51        コネクタカバー(A)
５１ａ        枠                        51b       ケーブル導出口
51c       周壁                      51d       溝
51e       溝                        51f       隔壁
51g       角孔                      51h       貫通孔
51i       凹穴
52        コネクタカバー(B)
52a       ケーブル導出口            52b       周壁
52c       角孔
53        ねじ
61        ジャックコネクタ本体
71        引抜き部材
81        コネクタカバー(C)
81a-1,  81a-2  周壁                 81b-1,  81b-2  Ｕ溝
81c       角孔
82        コネクタカバー(D)
82a       ケーブル導出口
82b -1, 82b-2  周壁                 82c        角孔
311       ジャック端子              311a      ジャックコンタクト
312       筐体
312a      周壁                      312b      基板取付け用フランジ
313       ガイドピン                313a      ロック溝
314       ねじ
316       回路基板
321       絶縁体
321a      ガイド部                  321b      突起
322       プラグ端子                322a      プラグコンタクト
326       ケーブル                  326a      信号線
611       ガイドピン
【図１】
0003658080.tif 000002
【図２】
0003658080.tif 000003
【図３】
0003658080.tif 000004
【図４】
0003658080.tif 000005
【図５】
0003658080.tif 000006
【図６】
0003658080.tif 000007
【図７】
0003658080.tif 000008
【図８】
0003658080.tif 000009
【図９】
0003658080.tif 000010
【図１０】
0003658080.tif 000011
【図１１】
0003658080.tif 000012
【図１２】
0003658080.tif 000013
【図１３】
0003658080.tif 000014
【図１４】
0003658080.tif 000015
【図１５】
0003658080.tif 000016
【図１６】
0003658080.tif 000017